(57)【要約】【課題】邪魔にならず、外観上目立たない戸当たり具の提供。【解決手段】蝶番１００の軸となるように蝶番１００の軸穴部１０１に上部から差し入れられると共に、この差し入れ状態において軸穴部１０１より軸上部１０ａを突き出させる軸棒１０と、軸棒１０の軸上部１０ａの通される貫通穴１１ａ、１２ａと、この貫通穴１１ａ、１２ａの形成位置を中心にそれぞれ異なる向きに突き出す第一アーム１１及び第二アーム１２とを有していると共に、この第一アーム１１のアーム端側に扉への当接部１３が備えられ、かつ、この第二アーム１２のアーム端側に壁への当接部１３が備えられている。【選択図】　　　　図２
2004019383.tif 000002
【特許請求の範囲】
【請求項１】
蝶番の軸となるように蝶番の軸穴部に上部から差し入れられると共に、この差し入れ状態において軸穴部より軸上部を突き出させる軸棒と、前記軸棒の軸上部の通される貫通穴と、この貫通穴の形成位置を中心にそれぞれ異なる向きに突き出す第一アーム及び第二アームとを有していると共に、
この第一アームのアーム端側に扉への当接部が備えられ、かつ、この第二アームのアーム端側に壁への当接部が備えられていることを特徴とする戸当たり具。
【請求項２】
蝶番の軸となるように蝶番の軸穴部に上部から差し入れられると共に、この差し入れ状態において軸穴部より軸上部を突き出させる主軸棒と、
この主軸棒との間に間隔を開け、かつ、この主軸棒とほぼ平行をなすように、主軸棒の軸上部に対して連接部を介して下端側を連接されて扉の開放先側に配される副軸棒と、
前記副軸棒の通される貫通穴と、この貫通穴の形成位置を中心にそれぞれ異なる向きに突き出す第一アーム及び第二アームとを有していると共に、
この第一アームのアーム端側に扉への当接部が備えられ、かつ、この第二アームのアーム端側に壁への当接部が備えられていることを特徴とする戸当たり具。
【請求項３】
蝶番の軸となるように蝶番の軸穴部に上部から差し入れられると共に、この差し入れ状態において軸穴部より軸上部を突き出させる軸棒と、一端部に設けられた貫通穴に前記軸棒の軸上部を通してこの軸棒に回動可能に組み合わされると共に、他端部に扉への当接部を備えた第一アームと、
一端部に設けられた貫通穴に前記軸棒の軸上部を通してこの軸棒に第一アームの上方又は下方において回動可能に組み合わされると共に、他端部に壁への当接部を備えた第二アームとを備えており、
第一アームの貫通穴を巡る穴周辺部分には、この貫通穴を巡る向きにおいて間に間隔を開けて二以上の突部が設けられていると共に、
第二アームの貫通穴を巡る穴周辺部分には、この貫通穴を巡る向きにおいて間に間隔を開けて二以上の突部が設けられており、
この第一アームの隣り合う突部間に第二アームの突部を噛み合わせるように入れ込ませて第一アームの穴周辺部分と第二アームの穴周辺部分とが接し合わされていることを特徴とする戸当たり具。
【請求項４】
蝶番の軸となるように蝶番の軸穴部に上部から差し入れられると共に、この差し入れ状態において軸穴部より軸上部を突き出させる主軸棒と、
この主軸棒との間に間隔を開け、かつ、この主軸棒とほぼ平行をなすように、主軸棒の軸上部に対して連接部を介して下端側を連接されて扉の開放先側に配される副軸棒と、
一端部に設けられた貫通穴に前記副軸棒を通してこの副軸棒に回動可能に組み合わされると共に、他端部に扉への当接部を備えた第一アームと、
一端部に設けられた貫通穴に前記副軸棒を通してこの副軸棒に第一アームの上方又は下方において回動可能に組み合わされると共に、他端部に壁への当接部を備えた第二アームとを備えており、
第一アームの貫通穴を巡る穴周辺部分には、この貫通穴を巡る向きにおいて隣り合う突部との間に間隔を開けて二以上の突部が設けられていると共に、
第二アームの貫通穴を巡る穴周辺部分には、この貫通穴を巡る向きにおいて隣り合う突部との間に間隔を開けて二以上の突部が設けられており、
この第一アームの隣り合う突部間に第二アームの突部を噛み合わせるように入れ込ませて第一アームの穴周辺部分と第二アームの穴周辺部分とが接し合わされていることを特徴とする戸当たり具。
【請求項５】
第一アームの当接部が、この第一アームにネジ部をねじ込ませたアジャスト軸体のネジ部側と反対の端部に備え付けられた当接体によって構成してあると共に、
第二アームの当接部が、この第一アームにネジ部をねじ込ませたアジャスト軸体のネジ部側と反対の端部に備え付けられた当接体によって構成してあることを特徴とする請求項１、請求項２、請求項３又は請求項４記載の戸当たり具。
【請求項６】
第一アームの当接部が扉に備えられるキャッチャー体に吸着する磁石又は磁石を備えて構成されていると共に、
第二アームの当接部が壁に備えられるキャッチャー体に吸着する磁石又は磁石を備えて構成されていることを特徴とする請求項１、請求項２、請求項３又は請求項４記載の戸当たり具。
【請求項７】
第一アームの当接部が扉に備えられる磁石製のキャッチャー体に吸着される磁性体又は磁性体を備えて構成されていると共に、
第二アームの当接部が壁に備えられる磁石製のキャッチャー体に吸着される磁性体又は磁性体を備えて構成されていることを特徴とする請求項１、請求項２、請求項３又は請求項４記載の戸当たり具。
【請求項８】
第一アームの当接部が、この第一アームに回転可能に備え付けられた当接体によって構成してあると共に、
第二アームの当接部が、この第二アームに回転可能に備え付けられた当接体によって構成してあり、
前記第一アームの当接体における少なくとも扉への当接部分が扉に備えられる磁石製のキャッチャー体に吸着される磁石により構成されていると共に、
前記第二アームの当接体における少なくとも壁への当接部分が壁に備えられる磁石製のキャッチャー体に吸着される磁石により構成されており、
これらの当接体を回転させることにより、これらキャッチャー体にこれら当接体が反発するようにしてあることを特徴とする請求項１、請求項２、請求項３又は請求項４記載の戸当たり具。
【請求項９】
磁石がゴム磁石であることを特徴とする請求項６、請求項７又は請求項８記載の戸当たり具。
【発明の詳細な説明】
【０００１】
【発明の属する技術分野】
この発明は、蝶番によって、この蝶番の軸を中心に回動可能に備え付けられて、建物の開放部を開放可能に閉塞する扉の開き角度を規制するために用いられる戸当たり具に関する。
【０００２】
【従来の技術】
蝶番によって、この蝶番の軸を中心に回動可能に備え付けられて、建物の開放部を開放可能に閉塞する扉の開き角度を規制する戸当たり具として、床に設けられて扉の所定の開き位置において扉に突き当てられるものがある。
【０００３】
また、扉における蝶番による組み付け側と反対の側の上部に設けられて、扉の所定の開き位置において壁に突き当てられるものがある。
【０００４】
【発明が解決しようとする課題】
しかるに、これら従来の戸当たり具はいずれも外観上目立つ難があった。
【０００５】
また、前者の床設置タイプのものは、設置位置によっては、歩行や掃除などの邪魔となる。
【０００６】
さらに、いずれのタイプのものも、扉の開き角度の規制を、必要に応じて可変させることができなかった。
【０００７】
そこでこの発明は、邪魔にならず、外観上目立たず、さらに、扉の開き角度の規制を、必要に応じて可変させることができる戸当たり具の提供を目的としている。
【０００８】
【課題を解決するための手段】
前記目的を達成するために、請求項１記載の発明にあっては、戸当たり具が、蝶番の軸となるように蝶番の軸穴部に上部から差し入れられると共に、この差し入れ状態において軸穴部より軸上部を突き出させる軸棒と、
前記軸棒の軸上部の通される貫通穴と、この貫通穴の形成位置を中心にそれぞれ異なる向きに突き出す第一アーム及び第二アームとを有していると共に、
この第一アームのアーム端側に扉への当接部が備えられ、かつ、この第二アームのアーム端側に壁への当接部が備えられていることを特徴としている。
【０００９】
かかる構成によれば、蝶番の軸を抜き出し、この蝶番の軸に替えてこの蝶番の軸穴部に軸棒を入れ込み、あるいはまた、蝶番上部の義星を取り外し、この義星の納まっていたスペースに軸棒を入れ込んで、この軸棒を蝶番の軸の全部又は一部とさせた状態から、この軸棒の軸上部を貫通穴に通すことにより、蝶番の上部にこの蝶番を利用して戸当たり具を備え付けさせることができる。第一アームと第二アームは貫通穴の形成位置を中心にそれぞれ異なる向きに突き出されていることから、この第一アームの当接部が扉に突き当たり、かつ、第二アームの当接部が壁に突き当たる位置から先に、扉は開き出されることがない。かかる戸当たり具は、蝶番を利用して、かつ、蝶番の機能を損なわせることなく取り付けられることから、邪魔にならず、かつ、外観上も目立たない。
【００１０】
また、請求項２記載の発明にあっては、戸当たり具が、蝶番の軸となるように蝶番の軸穴部に上部から差し入れられると共に、この差し入れ状態において軸穴部より軸上部を突き出させる主軸棒と、
この主軸棒との間に間隔を開け、かつ、この主軸棒とほぼ平行をなすように、主軸棒の軸上部に対して連接部を介して下端側を連接されて扉の開放先側に配される副軸棒と、
前記副軸棒の通される貫通穴と、この貫通穴の形成位置を中心にそれぞれ異なる向きに突き出す第一アーム及び第二アームとを有していると共に、
この第一アームのアーム端側に扉への当接部が備えられ、かつ、この第二アームのアーム端側に壁への当接部が備えられていることを特徴としている。
【００１１】
かかる構成によれば、蝶番の軸を抜き出し、この蝶番の軸に替えてこの蝶番の軸穴部に主軸棒を入れ込み、あるいはまた、蝶番上部の義星を取り外し、この義星の納まっていたスペースに主軸棒を入れ込んで、この主軸棒を蝶番の軸の全部又は一部とさせた状態から、副軸棒を貫通穴に通すことにより、蝶番の上部にこの蝶番を利用して戸当たり具を備え付けさせることができる。かかる第一アームおよび第二アームは、前記副軸棒に貫通穴の形成箇所において支持されることから、第一アームと第二アームとの連接位置と蝶番の軸との間に形成される間隔により、第一アームおよび第二アームのアーム端側に設けられる前記当接部を、扉の所望の開き位置において、この扉または壁に適切に当接させることができる。また、この連接位置と当接部との間において第一アーム、第二アームに十分な長さを確保させることができる。また、第一アームと第二アームは貫通穴の形成位置を中心にそれぞれ異なる向きに突き出されていることから、この第一アームの当接部が扉に突き当たり、かつ、第二アームの当接部が壁に突き当たる位置から先に、扉は開き出されることがない。かかる戸当たり具は、蝶番を利用して、かつ、蝶番の機能を損なわせることなく取り付けられることから、邪魔にならず、かつ、外観上も目立たない。
【００１２】
また、請求項３記載の発明にあっては、戸当たり具が、蝶番の軸となるように蝶番の軸穴部に上部から差し入れられると共に、この差し入れ状態において軸穴部より軸上部を突き出させる軸棒と、
一端部に設けられた貫通穴に前記軸棒の軸上部を通してこの軸棒に回動可能に組み合わされると共に、他端部に扉への当接部を備えた第一アームと、
一端部に設けられた貫通穴に前記軸棒の軸上部を通してこの軸棒に第一アームの上方又は下方において回動可能に組み合わされると共に、他端部に壁への当接部を備えた第二アームとを備えており、
第一アームの貫通穴を巡る穴周辺部分には、この貫通穴を巡る向きにおいて間に間隔を開けて二以上の突部が設けられていると共に、
第二アームの貫通穴を巡る穴周辺部分には、この貫通穴を巡る向きにおいて間に間隔を開けて二以上の突部が設けられており、
この第一アームの隣り合う突部間に第二アームの突部を噛み合わせるように入れ込ませて第一アームの穴周辺部分と第二アームの穴周辺部分とが接し合わされていることを特徴としている。
【００１３】
かかる構成によれば、蝶番の軸を抜き出し、この蝶番の軸に替えてこの蝶番の軸穴部に軸棒を入れ込んでこの軸棒を蝶番の軸とさせた状態から、あるいはまた、蝶番上部の義星を取り外し、この義星の納まっていたスペースに軸棒を入れ込んで、この軸棒を蝶番の軸の全部又は一部とさせた状態から、この軸棒の軸上部を第一アームの貫通穴に通し、かつ、この軸棒の軸上部を第二アームの貫通穴に通すことにより、蝶番の上部にこの蝶番を利用して戸当たり具を備え付けさせることができる。かかる戸当たり具は、蝶番を利用して、かつ、蝶番の機能を損なわせることなく取り付けられることから、邪魔にならず、かつ、外観上も目立たない。
【００１４】
また、このように備え付けられた戸当たり具を構成する第一アームと第二アームは、前記軸棒を中心として回動可能となっていると共に、この第一アームの隣り合う突部間に第二アームの突部を噛み合わせるように入れ込ませて第一アームの穴周辺部分と第二アームの穴周辺部分とを接し合わさせるようになっていることから、第一アームと第二アームとのなす角度を変えることにより、扉の開き角度を所望の角度に規制することができる。
【００１５】
すなわち、第一アームの穴周辺部分と第二アームの穴周辺部分とを前記のように噛み合わせた状態から、この第一アーム及び第二アームのうちの上方に位置される方を前記軸棒に沿って上方に移動させてこの噛み合わせを解いた後、第一アームと第二アームとのなす角度を変えて再びこの第一アームの穴周辺部分と第二アームの穴周辺部分とを前記のように噛み合わせることにより、この第一アームと第二アームとの組み合わせ状態を変更後の角度で安定的に維持させることができる。
【００１６】
また、請求項４記載の発明にあっては、戸当たり具が、蝶番の軸となるように蝶番の軸穴部に上部から差し入れられると共に、この差し入れ状態において軸穴部より軸上部を突き出させる主軸棒と、
この主軸棒との間に間隔を開け、かつ、この主軸棒とほぼ平行をなすように、主軸棒の軸上部に対して連接部を介して下端側を連接されて扉の開放先側に配される副軸棒と、
一端部に設けられた貫通穴に前記副軸棒を通してこの副軸棒に回動可能に組み合わされると共に、他端部に扉への当接部を備えた第一アームと、
一端部に設けられた貫通穴に前記副軸棒を通してこの副軸棒に第一アームの上方又は下方において回動可能に組み合わされると共に、他端部に壁への当接部を備えた第二アームとを備えており、
第一アームの貫通穴を巡る穴周辺部分には、この貫通穴を巡る向きにおいて隣り合う突部との間に間隔を開けて二以上の突部が設けられていると共に、
第二アームの貫通穴を巡る穴周辺部分には、この貫通穴を巡る向きにおいて隣り合う突部との間に間隔を開けて二以上の突部が設けられており、
この第一アームの隣り合う突部間に第二アームの突部を噛み合わせるように入れ込ませて第一アームの穴周辺部分と第二アームの穴周辺部分とが接し合わされていることを特徴としている。
【００１７】
かかる構成によれば、蝶番の軸を抜き出し、この蝶番の軸に替えてこの蝶番の軸穴部に主軸棒を入れ込み、あるいはまた、蝶番上部の義星を取り外し、この義星の納まっていたスペースに主軸棒を入れ込んで、この主軸棒を蝶番の軸の全部又は一部とさせた状態から、副軸棒を第一アームの貫通穴に通し、かつ、この副軸棒を第二アームの貫通穴に通すことにより、蝶番の上部にこの蝶番を利用して戸当たり具を備え付けさせることができる。かかる戸当たり具は、蝶番を利用して、かつ、蝶番の機能を損なわせることなく取り付けられることから、邪魔にならず、かつ、外観上も目立たない。かかる第一アームおよび第二アームは、前記副軸棒に貫通穴の形成箇所において支持されることから、第一アームと第二アームとの連接位置と蝶番の軸との間に形成される間隔により、第一アームおよび第二アームのアーム端側に設けられる前記当接部を、扉の所望の開き位置において、この扉または壁に適切に当接させることができる。また、この連接位置と当接部との間において第一アーム、第二アームに十分な長さを確保させることができる。
【００１８】
また、このように備え付けられた戸当たり具を構成する第一アームと第二アームは、前記副軸棒を中心として回動可能となっていると共に、この第一アームの隣り合う突部間に第二アームの突部を噛み合わせるように入れ込ませて第一アームの穴周辺部分と第二アームの穴周辺部分とを接し合わさせるようになっていることから、第一アームと第二アームとのなす角度を変えることにより、扉の開き角度を所望の角度に規制することができる。
【００１９】
すなわち、第一アームの穴周辺部分と第二アームの穴周辺部分とを前記のように噛み合わせた状態から、この第一アーム及び第二アームのうちの上方に位置される方を前記副軸棒に沿って上方に移動させてこの噛み合わせを解いた後、第一アームと第二アームとのなす角度を変えて再びこの第一アームの穴周辺部分と第二アームの穴周辺部分とを前記のように噛み合わせることにより、この第一アームと第二アームとの組み合わせ状態を変更後の角度で安定的に維持させることができる。
【００２０】
また、請求項５記載の発明にあっては、請求項１、請求項２、請求項３又は請求項４記載の戸当たり具における第一アームの当接部が、この第一アームにネジ部をねじ込ませたアジャスト軸体のネジ部側と反対の端部に備え付けられた当接体によって構成してあると共に、
第二アームの当接部が、この第一アームにネジ部をねじ込ませたアジャスト軸体のネジ部側と反対の端部に備え付けられた当接体によって構成してあることを特徴としている。
【００２１】
かかる構成によれば、アジャスト軸体を螺進退させて、このアジャスト軸体のネジ部のねじ込み寸法を変えることにより、当接部の位置を調整することができ、壁面からの蝶番の軸側の突き出し寸法などに応じて、扉の所望の開き位置において、第一アームの当接部が扉に、第二アームの当接部が壁にそれぞれ適切に突き当たるようにすることができる。
【００２２】
また、請求項６記載の発明にあっては、請求項１、請求項２、請求項３又は請求項４記載の戸当たり具における第一アームの当接部が扉に備えられるキャッチャー体に吸着する磁石又は磁石を備えて構成されていると共に、
第二アームの当接部が壁に備えられるキャッチャー体に吸着する磁石又は磁石を備えて構成されていることを特徴としている。
【００２３】
かかる構成によれば、所望の扉の開き位置において、戸当たり具によってこの扉の開き角度を規制させることができると共に、この開き位置における扉の開いた状態を、前記キャッチャー体への当接部の吸着により維持させることができる。
【００２４】
また、請求項７記載の発明にあっては、請求項１、請求項２、請求項３又は請求項４記載の戸当たり具における第一アームの当接部が扉に備えられる磁石製のキャッチャー体に吸着される磁性体又は磁性体を備えて構成されていると共に、第二アームの当接部が壁に備えられる磁石製のキャッチャー体に吸着される磁性体又は磁性体を備えて構成されていることを特徴としている。
【００２５】
かかる構成によれば、所望の扉の開き位置において、戸当たり具によってこの扉の開き角度を規制させることができると共に、この開き位置における扉の開いた状態を、前記キャッチャー体の当接部への吸着により維持させることができる。
【００２６】
また、請求項８記載の発明にあっては、請求項１、請求項２、請求項３又は請求項４記載の戸当たり具における第一アームの当接部が、この第一アームに回転可能に備え付けられた当接体によって構成してあると共に、
第二アームの当接部が、この第二アームに回転可能に備え付けられた当接体によって構成してあり、
前記第一アームの当接体における少なくとも扉への当接部分が扉に備えられる磁石製のキャッチャー体に吸着される磁石により構成されていると共に、
前記第二アームの当接体における少なくとも壁への当接部分が壁に備えられる磁石製のキャッチャー体に吸着される磁石により構成されており、
これらの当接体を回転させることにより、これらキャッチャー体にこれら当接体が反発するようにしてあることを特徴としている。
【００２７】
かかる構成によれば、所望の扉の開き位置において、戸当たり具によってこの扉の開き角度を規制させることができると共に、この開き位置において前記キャッチャー体と当接部とを反発させてこの扉の開き方向への運動エネルギーを減衰させて勢い良く戸当たり具に扉および壁が突き当たらないようにすることができる。
【００２８】
また、請求項９記載の発明にあっては、請求項６、請求項７又は請求項８記載の戸当たり具における磁石がゴム磁石であることを特徴としている。
【００２９】
かかる構成によれば、磁石自体によっても扉の開き方向への運動エネルギーを減衰させることができると共に、この扉の開き方向への反復運動によって早期に磁石が痛んだり、割れたりしないようにすることができる。
【００３０】
【発明の実施の形態】
以下、この発明の典型的な実施の形態について説明する。
【００３１】
この実施の形態にかかる戸当たり具は、蝶番１００によって、この蝶番１００の軸を中心に回動可能に備え付けられて、建物の開放部を開放可能に閉塞する扉１０４（ドア）の開き角度を規制するように用いられるものである。より具体的には、かかる戸当たり具は、かかる蝶番１００を利用して備え付けられて、かかる扉１０４の開き角度を規制するように用いられるものである。
【００３２】
（第一実施例）
図１ないし図１４は、かかる戸当たり具の一例を示している。
【００３３】
ここで、図１は、壁１０５と扉１０４の要部と一緒に、分離したかかる戸当たり具を構成する各部材を表しており、図２は、蝶番１００にかかる戸当たり具を備え付けさせた状態を示している。また、図３は、蝶番１００に戸当たり具を備え付けさせた状態において扉１０４を開いていない状態を、図４は、図３の状態から開き出された扉１０４が戸当たり具によって開き出しを規制された状態を、それぞれ示している。
【００３４】
また、図５ないし図７は、戸当たり具を構成する第一アーム１１を、図８ないし図１０は、戸当たり具を構成する第二アーム１２を、それぞれ示している。
【００３５】
また、図１１ないし図１４は、戸当たり具を構成する当接部１３の変更例をそれぞれ理解しやすいように示した構成図である。
【００３６】
この実施例にかかる戸当たり具は、
（１）軸棒１０と、
（２）第一アーム１１と、
（３）第二アーム１２とから構成されている。
【００３７】
（軸棒１０）
軸棒１０は、蝶番１００の軸となるように蝶番１００の軸穴部１０１に上部から差し入れられると共に、この差し入れ状態において軸穴部１０１より軸上部１０ａを突き出させるように構成してある。
【００３８】
すなわち、かかる軸棒１０は、戸当たり具の取り付けに利用される蝶番１００の軸よりも長くなるように構成されている。
【００３９】
図示の例では、旗蝶番１００を利用して戸当たり具を取り付けるようにしている。
【００４０】
具体的には、蝶番１００の上下の義星１０２を取り外し、蝶番１００の軸（心棒などとも称される。）を蝶番１００の軸穴部１０１（管などとも称される。）から抜き出させた後、この蝶番１００の軸穴部１０１に軸棒１０を上部から差し入れると共に、この蝶番１００の下部に義星１０２を再び取り付けることにより、この軸棒１０が蝶番１００の軸となるようにする。すなわち、この軸棒１０によって蝶番１００の一対のはね１０３、１０３をこの軸棒１０によって組み付け合わせ直して、この軸棒１０が蝶番１００の軸となるようにする。
【００４１】
そして、このように蝶番１００の軸と交換された軸棒１０の軸上部１０ａを利用して、前記第一アーム１１と第二アーム１２とを後述のように組み付けることにより、既設の蝶番１００を利用して戸当たり具が取り付けられる。
【００４２】
蝶番１００の軸穴部１０１への蝶番１００の上部側の義星１０２のねじ込み寸法が大きい場合には、この上部側の義星１０２を取り外し、この義星１０２の入り込んでいたスペースを利用して軸棒１０を入れ込むようにすることもできる。この場合には、軸棒１０は短くて済むことになる。
【００４３】
（第一アーム１１）
第一アーム１１は、一端部に設けられた貫通穴１１ａに前記軸棒１０の軸上部１０ａを通してこの軸棒１０に回動可能に組み合わされると共に、他端部に扉１０４への当接部１３を備えた構成となっている。
【００４４】
かかる第一アーム１１は、前記貫通穴１１ａに前記軸棒１０の軸上部１０ａを通すことにより、扉１０４の開放先側に配される。
【００４５】
図示の例では、かかる第一アーム１１は、平面視の状態において、Ｌ字形をなすように構成されている。そして、この第一アーム１１は、かかるＬ字の屈曲内側を扉１０４における扉１０４の開き出し時にこの扉１０４の開放先側に向けられる面側に向けるようにして扉１０４の開放先側に配されるようになっている。
【００４６】
これにより、第一アーム１１の自由端（具体的には、当接部１３が設けられる他端部）に設けられる前記当接部１３のみが、扉１０４の所望の開き位置において、この扉１０４に当接されるようになっている。
【００４７】
すなわち、図示の例では、扉１０４の当接部１３は、第一アーム１１の自由端部における第一アーム１１の屈曲内側となる側にある側部に設けられている。
【００４８】
図示の例では、かかる当接部１３は、後述するアジャスト軸体１３ａを介して、この第一アーム１１の自由端部（つまり他端部）に備え付けられると共に、一方の端面で扉１０４に突き当たる短寸の円柱状をなす当接体１３’によって構成されている。
【００４９】
また、この第一アーム１１の貫通穴１１ａを巡る穴周辺部分には、この貫通穴１１ａを巡る向きにおいて間に間隔を開けて二以上の突部１１ｂ、１１ｂ…が設けられている。
【００５０】
図示の例では、第一アーム１１は第二アーム１２の上方に配されるようになっている。そして、かかる突部１１ｂは、このように配される第一アーム１１の下面側に設けられている。
【００５１】
二以上の突部１１ｂ、１１ｂ…は、隣り合う突部１１ｂとの間の間隔をほぼ等しくするように形成されている。
【００５２】
また、各突部１１ｂ、１１ｂ…はそれぞれ、平坦な上面と、前記貫通穴１１ａの穴軸を通る仮想の放射線に沿った両側面とを有するように構成されており、この貫通穴１１ａから離れるに従って、この貫通穴１１ａの周回方向における突部１１ｂの幅を次第に広くする形状を持つように構成されている。
【００５３】
そして、各突部１１ｂ、１１ｂ…は、いずれも、ほぼ同寸、同形をなすように構成されている。図示の例にあっては、かかる突部１１ｂは、前記貫通穴１１ａを巡る穴周辺部分に８カ所設けられている。
【００５４】
（第二アーム１２）
第二アーム１２は、一端部に設けられた貫通穴１２ａに前記軸棒１０の軸上部１０ａを通してこの軸棒１０に第一アーム１１の上方又は下方において回動可能に組み合わされると共に、他端部に壁１０５への当接部１３を備えた構成となっている。
【００５５】
かかる第二アーム１２も、前記貫通穴１２ａに前記軸棒１０の軸上部１０ａを通すことにより、扉１０４の開放先側に配される。
【００５６】
図示の例では、かかる第二アーム１２も、平面視の状態において、Ｌ字形をなすように構成されている。そして、この第二アーム１２は、かかるＬ字の屈曲内側を壁１０５側に向けるようにして扉１０４の開放先側に配されるようになっている。
【００５７】
これにより、第二アーム１２の自由端（具体的には、当接部１３が設けられる他端部）に設けられる前記当接部１３のみが、壁１０５に当接されるようになっている。
【００５８】
すなわち、図示の例では、壁１０５への当接部１３は、第二アーム１２の自由端部における第二アーム１２の屈曲内側となる側にある側部に設けられている。
【００５９】
図示の例では、かかる当接部１３は、後述するアジャスト軸体１３ａを介して、この第二アーム１２の自由端部（つまり他端部）に備え付けられると共に、一方の端面で壁１０５に突き当たる短寸の円柱状をなす当接体１３’によって構成されている。
【００６０】
また、この第二アーム１２の貫通穴１２ａを巡る穴周辺部分には、この貫通穴１２ａを巡る向きにおいて間に間隔を開けて二以上の突部１２ｂ、１２ｂ…が設けられている。
【００６１】
図示の例では、第二アーム１２は第一アーム１１の下方に配されるようになっている。そして、かかる突部１２ｂは、このように配される第二アーム１２の上面側に設けられている。
【００６２】
二以上の突部１２ｂ、１２ｂ…は、隣り合う突部１２ｂとの間の間隔をほぼ等しくするように形成されている。
【００６３】
また、各突部１２ｂ、１２ｂ…はそれぞれ、平坦な上面と、前記貫通穴１２ａの穴軸を通る仮想の放射線に沿った両側面とを有するように構成されており、この貫通穴１２ａから離れるに従って、この貫通穴１２ａの周回方向における突部１２ｂの幅を次第に広くする形状を持つように構成されている。
【００６４】
そして、各突部１２ｂ、１２ｂ…は、いずれも、ほぼ同寸、同形をなすように構成されている。図示の例にあっては、かかる突部１２ｂは、前記貫通穴１２ａを巡る穴周辺部分に８カ所設けられている。
【００６５】
さらに、この第二アーム１２の突部１２ｂは、第一アーム１１の突部１１ｂとも、ほぼ同寸、同形をなすように構成されている。
【００６６】
これにより、第一アーム１１の隣り合う突部１１ｂ、１１ｂ間には、それぞれ、第二アーム１２の突部１２ｂを上方から受け入れるこの第二アーム１２の突部１２ｂの外郭形状に倣った内郭形状を備えた凹部１１ｃが形成されると共に、第二アーム１２の隣り合う突部１２ｂ、１２ｂ間には、それぞれ、第一アーム１１の突部１１ｂを下方から受け入れるこの第一アーム１１の突部１１ｂの外郭形状に倣った内郭形状を備えた凹部１２ｃが形成されている。
【００６７】
すなわち、第一アーム１１と第二アーム１２とは、第一アーム１１の隣り合う突部１１ｂ、１１ｂ間に第二アーム１２の突部１２ｂを噛み合わせるように入れ込ませて第一アーム１１の穴周辺部分と第二アーム１２の穴周辺部分とを接し合わさせるようにして組み合わされる。
【００６８】
（機能）
蝶番１００の軸を抜き出し、この蝶番１００の軸に替えてこの蝶番１００の軸穴部１０１に軸棒１０を入れ込んでこの軸棒１０を蝶番１００の軸とさせた状態から、この軸棒１０の軸上部１０ａを第一アーム１１の貫通穴１１ａに通し、かつ、この軸棒１０の軸上部１０ａを第二アーム１２の貫通穴１２ａに通すことにより、蝶番１００の上部にこの蝶番１００を利用して戸当たり具を備え付けさせることができる。かかる戸当たり具は、蝶番１００を利用して、かつ、蝶番１００の機能を損なわせることなく取り付けられることから、邪魔にならず、かつ、外観上も目立たない。
【００６９】
また、このように備え付けられた戸当たり具を構成する第一アーム１１と第二アーム１２は、前記軸棒１０を中心として回動可能となっていると共に、この第一アーム１１の隣り合う突部１１ｂ、１１ｂ間に第二アーム１２の突部１２ｂを噛み合わせるように入れ込ませて第一アーム１１の穴周辺部分と第二アーム１２の穴周辺部分とを接し合わさせるようになっていることから、第一アーム１１と第二アーム１２とのなす角度を変えることにより、扉１０４の開き角度を所望の角度に規制することができる。
【００７０】
すなわち、第一アーム１１の穴周辺部分と第二アーム１２の穴周辺部分とを前記のように噛み合わせた状態から、この第一アーム１１及び第二アーム１２のうちの上方に位置される方を前記軸棒１０に沿って上方に移動させてこの噛み合わせを解いた後、第一アーム１１と第二アーム１２とのなす角度を変えて再びこの第一アーム１１の穴周辺部分と第二アーム１２の穴周辺部分とを前記のように噛み合わせることにより、この第一アーム１１と第二アーム１２との組み合わせ状態を変更後の角度で安定的に維持させることができる。
【００７１】
例えば、第一アーム１１と第二アーム１２とが９０度の角度をなすように両者を組み合わせておくことにより、扉１０４が９０度開いた位置で、第一アーム１１の当接部１３が扉１０４に突き当たり、かつ、この第一アーム１１の当接部１３への扉１０４の突き当たりによって第二アーム１２の当接部１３が壁１０５に突き当たるようにすることができ、これにより、９０度を越えて扉１０４が開かないように規制することができる。（図４）
【００７２】
なお、かかる戸当たり具は、典型的には、扉１０４を支持する蝶番１００のいずれか一つを利用して備え付けるようにして用いられるが、二以上の蝶番１００にそれぞれ戸当たり具を備え付けるようにして用いても構わない。
【００７３】
（当接部１３）
また、図示の例にあっては、第一アーム１１の当接部１３が、この第一アーム１１にネジ部１３ｂをねじ込ませたアジャスト軸体１３ａのネジ部１３ｂ側と反対の端部に備え付けられた当接体１３’によって構成してあると共に、
第二アーム１２の当接部１３が、この第一アーム１１にネジ部１３ｂをねじ込ませたアジャスト軸体１３ａのネジ部１３ｂ側と反対の端部に備え付けられた当接体１３’によって構成してある。
【００７４】
図示の例にあっては、アジャスト軸体１３ａは、一端側にネジ部１３ｂを、他端側に球状頭部１３ｃを有するように構成されている。
【００７５】
そして、図示の例にあっては、かかる第一アーム１１の自由端部（つまり、他端部）に形成されたネジ穴１１ｄにこのアジャスト軸体１３ａのネジ部１３ｂをねじ込ませると共に、球状頭部１３ｃを短寸の円柱状をなす当接部１３の当接面側と反対の端面側からこの当接部１３内に埋め込ませるようにして、この第一アーム１１の自由端部にかかる当接部１３を備え付けさせている。
【００７６】
また、第二アーム１２の自由端部（つまり、他端部）に形成されたネジ穴１２ｄにアジャスト軸体１３ａのネジ部１３ｂをねじ込ませると共に、球状頭部１３ｃを短寸の円柱状をなす当接部１３の当接面側と反対の端面側からこの当接部１３内に埋め込ませるようにして、この第二アーム１２の自由端部にかかる当接部１３を備え付けさせている。
【００７７】
これにより、この実施の形態にあっては、アジャスト軸体１３ａを螺進退させて、このアジャスト軸体１３ａのネジ部１３ｂのねじ込み寸法を変えることにより、当接部１３の位置を調整することができ、壁１０５面からの蝶番１００の軸側の突き出し寸法などに応じて、扉１０４の所望の開き位置において、第一アーム１１の当接部１３が扉１０４に、第二アーム１２の当接部１３が壁１０５にそれぞれ適切に突き当たるようにすることができる。
【００７８】
（バリエーション１）
第一アーム１１の当接部１３が扉１０４に備えられるキャッチャー体１４に吸着する磁石１５又は磁石１５を備えて構成されていると共に、
第二アーム１２の当接部１３が壁１０５に備えられるキャッチャー体１４に吸着する磁石１５又は磁石１５を備えて構成されているようにしておくこともできる。
【００７９】
例えば、図１１に示されるように、短寸の円柱状をなす当接部１３の一方の端面に、円板状をなす磁石１５を備え付けさせ、この磁石１５により当接部１３の当接面を形成するようにする。それと共に、磁性体からなるプレート状をなすキャッチャー体１４を扉１０４および壁１０５における所望の扉１０４に開き位置において当接部１３が突き当たる扉１０４および壁１０５の部位に取り付けるようにする。
【００８０】
このようにしておけば、所望の扉１０４の開き位置において、戸当たり具によってこの扉１０４の開き角度を規制させることができると共に、この開き位置における扉１０４の開いた状態を、前記キャッチャー体１４への当接部１３の吸着により維持させることができる。
【００８１】
（バリエーション２）
第一アーム１１の当接部１３が扉１０４に備えられる磁石１５製のキャッチャー体１４に吸着される磁性体１６又は磁性体１６を備えて構成されていると共に、
第二アーム１２の当接部１３が壁１０５に備えられる磁石１５製のキャッチャー体１４に吸着される磁性体１６又は磁性体１６を備えて構成されているようにしておくこともできる。
【００８２】
例えば、図１２に示されるように、短寸の円柱状をなす当接部１３の一方の端面に、円板状をなす磁性体１６を備え付けさせ、この磁性体１６により当接部１３の当接面を形成するようにする。それと共に、磁石１５からなるプレート状をなすキャッチャー体１４を扉１０４および壁１０５における所望の扉１０４に開き位置において当接部１３が突き当たる扉１０４および壁１０５の部位に取り付けるようにする。
【００８３】
このようにしておけば、所望の扉１０４の開き位置において、戸当たり具によってこの扉１０４の開き角度を規制させることができると共に、この開き位置における扉１０４の開いた状態を、前記キャッチャー体１４の当接部１３への吸着により維持させることができる。
【００８４】
（バリエーション３）
第一アーム１１の当接部１３が、この第一アーム１１に回転可能に備え付けられた当接体１３’によって構成してあると共に、
第二アーム１２の当接部１３が、この第二アーム１２に回転可能に備え付けられた当接体１３’によって構成してあり、
前記第一アーム１１の当接体１３’における少なくとも扉１０４への当接部１３分が扉１０４に備えられる磁石１５製のキャッチャー体１４に吸着される磁石１５により構成されていると共に、
前記第二アーム１２の当接体１３’における少なくとも壁１０５への当接部１３分が壁１０５に備えられる磁石１５製のキャッチャー体１４に吸着される磁石１５により構成されており、
これらの当接体１３’を回転させることにより、これらキャッチャー体１４にこれら当接体１３’が反発するようにしておくこともできる。
【００８５】
例えば、図１３に示すように、第一アーム１１と当接体１３’および第二アーム１２と当接体１３’とを、この当接体１３’に球状頭部１３ｃを埋め込ませた軸体１７を中心に回転可能なように組み付け合わさせる。
【００８６】
それと共に、当接体１３’の一面に、この当接体１３’の回転中心を挟んだ一方側の磁極と他方側の磁極とが互いに異極となるように、二つの磁極面１８、１８を区分して備えたプレート状をなす磁石１５を備え付けさせ、この磁石１５によって当接面を構成させる。
【００８７】
そしてさらに、磁石１５からなるプレート状をなすキャッチャー体１４を扉１０４および壁１０５における所望の扉１０４に開き位置において当接部１３が突き当たる扉１０４および壁１０５の部位に取り付けるようにする。そして、このキャッチャー体１４における当接部１３に備え付けられた磁石１５の一方磁極面１８が接する部位の磁極と、当接部１３に備え付けられた磁石１５の他方磁極面１８が接する部位の磁極とが異極となるように、このキャッチャー体１４にも二つの磁極面１８、１８を備えさせる。
【００８８】
このようにしておけば、所望の扉１０４の開き位置において、戸当たり具によってこの扉１０４の開き角度を規制させることができると共に、この開き位置において前記キャッチャー体１４と当接部１３とを反発させてこの扉１０４の開き方向への運動エネルギーを減衰させて勢い良く戸当たり具に扉１０４および壁１０５が突き当たらないようにすることができる。
【００８９】
具体的には、当接部１３の磁石１５の一方磁極面１８とキャッチャー体１４の一方磁極面１８とを同極にしておけば、かかる減衰効果を生じさせることができる。（図１４）
【００９０】
これに対して、当接部１３の磁石１５の一方磁極面１８とキャッチャー体１４の一方磁極面１８とを異極にしておけば、当接部１３とキャッチャー体１４とを吸着させ合わせて、所望の開き位置での扉１０４の開き状態を維持させることができる。（図１３）
【００９１】
（その他）
以上に説明した磁石１５をゴム磁石としておけば、磁石１５自体によっても扉１０４の開き方向への運動エネルギーを減衰させることができると共に、この扉１０４の開き方向への反復運動によって早期に磁石１５が痛んだり、割れたりしないようにすることができる。
【００９２】
（第二実施例）
図１５ないし図２８は、かかる戸当たり具の他の一例を示している。
【００９３】
ここで、図１５は、壁１０５と扉１０４の要部と一緒に、分離したかかる戸当たり具を構成する各部材を表しており、図１６は、蝶番１００にかかる戸当たり具を備え付けさせた状態を示している。また、図１７は、蝶番１００に戸当たり具を備え付けさせた状態において扉１０４を開いていない状態を、図１８は、図１７の状態から開き出された扉１０４が戸当たり具によって開き出しを規制された状態を、それぞれ示している。
【００９４】
また、図１９ないし図２１は、戸当たり具を構成する第一アーム２２を、図２２ないし図２４は、戸当たり具を構成する第二アーム２３を、それぞれ示している。
【００９５】
また、図２５ないし図２８は、戸当たり具を構成する当接部１３の変更例をそれぞれ理解しやすいように示した構成図である。
【００９６】
この実施例にかかる戸当たり具は、
（１）主軸棒２０と、
（２）副軸棒２１と、
（３）第一アーム２２と、
（４）第二アーム２３とから構成されている。
【００９７】
（主軸棒２０）
主軸棒２０は、蝶番１００の軸となるように蝶番１００の軸穴部１０１に上部から差し入れられると共に、この差し入れ状態において軸穴部１０１より軸上部２０ａを突き出させるように構成してある。
【００９８】
すなわち、かかる主軸棒２０は、戸当たり具の取り付けに利用される蝶番１００の軸よりも長くなるように構成されている。
【００９９】
図示の例では、旗蝶番１００を利用して戸当たり具を取り付けるようにしている。
【０１００】
具体的には、蝶番１００の上下の義星１０２を取り外し、蝶番１００の軸（心棒などとも称される。）を蝶番１００の軸穴部１０１（管などとも称される。）から抜き出させた後、この蝶番１００の軸穴部１０１に主軸棒２０を上部から差し入れると共に、この蝶番１００の下部に義星１０２を再び取り付けることにより、この主軸棒２０が蝶番１００の軸となるようにする。すなわち、この主軸棒２０によって蝶番１００の一対のはね１０３、１０３をこの主軸棒２０によって組み付け合わせ直して、この主軸棒２０が蝶番１００の軸となるようにする。
【０１０１】
蝶番１００の軸穴部１０１への蝶番１００の上部側の義星１０２のねじ込み寸法が大きい場合には、この上部側の義星１０２を取り外し、この義星１０２の入り込んでいたスペースを利用して主軸棒２０を入れ込むようにすることもできる。この場合には、主軸棒２０は短くて済むことになる。
【０１０２】
（副軸棒２１）
副軸棒２１は、前記主軸棒２０との間に間隔を開け、かつ、この主軸棒２０とほぼ平行をなすように、主軸棒２０の軸上部２０ａに対して連接部２１ａを介して下端側を連接されて扉１０４の開放先側に配されるように構成してある。
【０１０３】
そして、この副軸棒２１を利用して、前記第一アーム２２と第二アーム２３とを後述のように組み付けることにより、既設の蝶番１００を利用して戸当たり具が取り付けられる。
【０１０４】
（第一アーム２２）
第一アーム２２は、一端部に設けられた貫通穴２２ａに前記副軸棒２１を通してこの副軸棒２１に回動可能に組み合わされると共に、他端部に扉１０４への当接部２４を備えた構成となっている。
【０１０５】
かかる第一アーム２２は、前記貫通穴２２ａに前記副軸棒２１を通すことにより、扉１０４の開放先側に配される。
【０１０６】
図示の例では、かかる第一アーム２２は、平面視の状態において、長方形の板状をなすように構成されている。
【０１０７】
かかる第一アーム２２は、前記副軸棒２１に一端部を支持されることから、蝶番１００の軸と第一アーム２２の一端部との間に形成される間隔により、その自由端（具体的には、当接部２４が設けられる他端部）に設けられる前記当接部２４を、扉１０４の所望の開き位置において、この扉１０４に適切に当接させるように位置づけることができるようになっている。
【０１０８】
図示の例では、かかる当接部２４は、後述するアジャスト軸体２４ａを介して、この第一アーム２２の自由端部（つまり他端部）に備え付けられると共に、一方の端面で扉１０４に突き当たる短寸の円柱状をなす当接体２４’によって構成されている。
【０１０９】
また、この第一アーム２２の貫通穴２２ａを巡る穴周辺部分には、この貫通穴２２ａを巡る向きにおいて間に間隔を開けて二以上の突部２２ｂ、２２ｂ…が設けられている。
【０１１０】
図示の例では、第一アーム２２は第二アーム２３の上方に配されるようになっている。そして、かかる突部２２ｂは、このように配される第一アーム２２の下面側に設けられている。
【０１１１】
二以上の突部２２ｂ、２２ｂ…は、隣り合う突部２２ｂとの間の間隔をほぼ等しくするように形成されている。
【０１１２】
また、各突部２２ｂ、２２ｂ…はそれぞれ、平坦な上面と、前記貫通穴２２ａの穴軸を通る仮想の放射線に沿った両側面とを有するように構成されており、この貫通穴２２ａから離れるに従って、この貫通穴２２ａの周回方向における突部２２ｂの幅を次第に広くする形状を持つように構成されている。
【０１１３】
そして、各突部２２ｂ、２２ｂ…は、いずれも、ほぼ同寸、同形をなすように構成されている。図示の例にあっては、かかる突部２２ｂは、前記貫通穴２２ａを巡る穴周辺部分に８カ所設けられている。
【０１１４】
（第二アーム２３）
第二アーム２３は、一端部に設けられた貫通穴２３ａに前記副軸棒２１を通してこの副軸棒２１に第一アーム２２の上方又は下方において回動可能に組み合わされると共に、他端部に壁１０５への当接部２４を備えた構成となっている。
【０１１５】
かかる第二アーム２３も、前記貫通穴２３ａに前記副軸棒２１を通すことにより、扉１０４の開放先側に配される。
【０１１６】
図示の例では、かかる第二アーム２３も、平面視の状態において、長方形の板状をなすように構成されている。
【０１１７】
かかる第二アーム２３は、前記副軸棒２１に一端部を支持されることから、蝶番１００の軸と第一アーム２２の一端部との間に形成される間隔により、その自由端（具体的には、当接部２４が設けられる他端部）に設けられる前記当接部２４を、扉１０４の所望の開き位置において、壁１０５に適切に当接させるように位置づけることができるようになっている。
【０１１８】
図示の例では、かかる当接部２４は、後述するアジャスト軸体２４ａを介して、この第二アーム２３の自由端部（つまり他端部）に備え付けられると共に、一方の端面で壁１０５に突き当たる短寸の円柱状をなす当接体２４’によって構成されている。
【０１１９】
また、この第二アーム２３の貫通穴２３ａを巡る穴周辺部分には、この貫通穴２３ａを巡る向きにおいて間に間隔を開けて二以上の突部２３ｂ、２３ｂ…が設けられている。
【０１２０】
図示の例では、第二アーム２３は第一アーム２２の下方に配されるようになっている。そして、かかる突部２３ｂは、このように配される第二アーム２３の上面側に設けられている。
【０１２１】
二以上の突部２３ｂ、２３ｂ…は、隣り合う突部２３ｂとの間の間隔をほぼ等しくするように形成されている。
【０１２２】
また、各突部２３ｂ、２３ｂ…はそれぞれ、平坦な上面と、前記貫通穴２３ａの穴軸を通る仮想の放射線に沿った両側面とを有するように構成されており、この貫通穴２３ａから離れるに従って、この貫通穴２３ａの周回方向における突部２３ｂの幅を次第に広くする形状を持つように構成されている。
【０１２３】
そして、各突部２３ｂ、２３ｂ…は、いずれも、ほぼ同寸、同形をなすように構成されている。図示の例にあっては、かかる突部２３ｂは、前記貫通穴２３ａを巡る穴周辺部分に８カ所設けられている。
【０１２４】
さらに、この第二アーム２３の突部２３ｂは、第一アーム２２の突部２２ｂとも、ほぼ同寸、同形をなすように構成されている。
【０１２５】
これにより、第一アーム２２の隣り合う突部２２ｂ、２２ｂ間には、それぞれ、第二アーム２３の突部２３ｂを上方から受け入れるこの第二アーム２３の突部２３ｂの外郭形状に倣った内郭形状を備えた凹部２２ｃが形成されると共に、第二アーム２３の隣り合う突部２３ｂ、２３ｂ間には、それぞれ、第一アーム２２の突部２２ｂを下方から受け入れるこの第一アーム２２の突部２２ｂの外郭形状に倣った内郭形状を備えた凹部２３ｃが形成されている。
【０１２６】
すなわち、第一アーム２２と第二アーム２３とは、第一アーム２２の隣り合う突部２２ｂ、２２ｂ間に第二アーム２３の突部２３ｂを噛み合わせるように入れ込ませて第一アーム２２の穴周辺部分と第二アーム２３の穴周辺部分とを接し合わさせるようにして組み合わされる。
【０１２７】
（機能）
蝶番１００の軸を抜き出し、この蝶番１００の軸に替えてこの蝶番１００の軸穴部１０１に主軸棒２０を入れ込みこの主軸棒２０を蝶番１００の軸とさせた状態から、副軸棒２１を第一アーム２２の貫通穴２２ａに通し、かつ、この副軸棒２１を第二アーム２３の貫通穴２３ａに通すことにより、蝶番１００の上部にこの蝶番１００を利用して戸当たり具を備え付けさせることができる。かかる戸当たり具は、蝶番１００を利用して、かつ、蝶番１００の機能を損なわせることなく取り付けられることから、邪魔にならず、かつ、外観上も目立たない。
【０１２８】
また、このように備え付けられた戸当たり具を構成する第一アーム２２と第二アーム２３は、前記主軸棒２０を中心として回動可能となっていると共に、この第一アーム２２の隣り合う突部２２ｂ、２２ｂ間に第二アーム２３の突部２３ｂを噛み合わせるように入れ込ませて第一アーム２２の穴周辺部分と第二アーム２３の穴周辺部分とを接し合わさせるようになっていることから、第一アーム２２と第二アーム２３とのなす角度を変えることにより、扉１０４の開き角度を所望の角度に規制することができる。
【０１２９】
すなわち、第一アーム２２の穴周辺部分と第二アーム２３の穴周辺部分とを前記のように噛み合わせた状態から、この第一アーム２２及び第二アーム２３のうちの上方に位置される方を前記副軸棒２１に沿って上方に移動させてこの噛み合わせを解いた後、第一アーム２２と第二アーム２３とのなす角度を変えて再びこの第一アーム２２の穴周辺部分と第二アーム２３の穴周辺部分とを前記のように噛み合わせることにより、この第一アーム２２と第二アーム２３との組み合わせ状態を変更後の角度で安定的に維持させることができる。
【０１３０】
例えば、第一アーム２２と第二アーム２３とが９０度の角度をなすように両者を組み合わせておくことにより、扉１０４が９０度開いた位置で、第一アーム２２の当接部２４が扉１０４に突き当たり、かつ、この第一アーム２２の当接部２４への扉１０４の突き当たりによって第二アーム２３の当接部２４が壁１０５に突き当たるようにすることができ、これにより、９０度を越えて扉１０４が開かないように規制することができる。（図１８）
【０１３１】
なお、かかる戸当たり具は、典型的には、扉１０４を支持する蝶番１００のいずれか一つを利用して備え付けるようにして用いられるが、二以上の蝶番１００にそれぞれ戸当たり具を備え付けるようにして用いても構わない。
【０１３２】
（当接部２４）
また、図示の例にあっては、第一アーム２２の当接部２４が、この第一アーム２２にネジ部２４ｂをねじ込ませたアジャスト軸体２４ａのネジ部２４ｂ側と反対の端部に備え付けられた当接体２４’によって構成してあると共に、
第二アーム２３の当接部２４が、この第一アーム２２にネジ部２４ｂをねじ込ませたアジャスト軸体２４ａのネジ部２４ｂ側と反対の端部に備え付けられた当接体２４’によって構成してある。
【０１３３】
図示の例にあっては、アジャスト軸体２４ａは、一端側にネジ部２４ｂを、他端側に球状頭部２４ｃを有するように構成されている。
【０１３４】
そして、図示の例にあっては、かかる第一アーム２２の自由端部（つまり、他端部）に形成されたネジ穴２２ｄにこのアジャスト軸体２４ａのネジ部２４ｂをねじ込ませると共に、球状頭部２４ｃを短寸の円柱状をなす当接部２４の当接面側と反対の端面側からこの当接部２４内に埋め込ませるようにして、この第一アーム２２の自由端部にかかる当接部２４を備え付けさせている。
【０１３５】
また、第二アーム２３の自由端部（つまり、他端部）に形成されたネジ穴２３ｄにアジャスト軸体２４ａのネジ部２４ｂをねじ込ませると共に、球状頭部２４ｃを短寸の円柱状をなす当接部２４の当接面側と反対の端面側からこの当接部２４内に埋め込ませるようにして、この第二アーム２３の自由端部にかかる当接部２４を備え付けさせている。
【０１３６】
これにより、この実施の形態にあっては、アジャスト軸体２４ａを螺進退させて、このアジャスト軸体２４ａのネジ部２４ｂのねじ込み寸法を変えることにより、当接部２４の位置を調整することができ、壁１０５面からの蝶番１００の軸側の突き出し寸法などに応じて、扉１０４の所望の開き位置において、第一アーム２２の当接部２４が扉１０４に、第二アーム２３の当接部２４が壁１０５にそれぞれ適切に突き当たるようにすることができる。
【０１３７】
（バリエーション１）
第一アーム２２の当接部２４が扉１０４に備えられるキャッチャー体２５に吸着する磁石２６又は磁石２６を備えて構成されていると共に、
第二アーム２３の当接部２４が壁１０５に備えられるキャッチャー体２５に吸着する磁石２６又は磁石２６を備えて構成されているようにしておくこともできる。
【０１３８】
例えば、図２５に示されるように、短寸の円柱状をなす当接部２４の一方の端面に、円板状をなす磁石２６を備え付けさせ、この磁石２６により当接部２４の当接面を形成するようにする。それと共に、磁性体２７からなるプレート状をなすキャッチャー体２５を扉１０４および壁１０５における所望の扉１０４に開き位置において当接部２４が突き当たる扉１０４および壁１０５の部位に取り付けるようにする。
【０１３９】
このようにしておけば、所望の扉１０４の開き位置において、戸当たり具によってこの扉１０４の開き角度を規制させることができると共に、この開き位置における扉１０４の開いた状態を、前記キャッチャー体２５への当接部２４の吸着により維持させることができる。
【０１４０】
（バリエーション２）
第一アーム２２の当接部２４が扉１０４に備えられる磁石２６製のキャッチャー体２５に吸着される磁性体２７又は磁性体２７を備えて構成されていると共に、
第二アーム２３の当接部２４が壁１０５に備えられる磁石２６製のキャッチャー体２５に吸着される磁性体２７又は磁性体２７を備えて構成されているようにしておくこともできる。
【０１４１】
例えば、図２６に示されるように、短寸の円柱状をなす当接部２４の一方の端面に、円板状をなす磁性体２７を備え付けさせ、この磁性体２７により当接部２４の当接面を形成するようにする。それと共に、磁石２６からなるプレート状をなすキャッチャー体２５を扉１０４および壁１０５における所望の扉１０４に開き位置において当接部２４が突き当たる扉１０４および壁１０５の部位に取り付けるようにする。
【０１４２】
このようにしておけば、所望の扉１０４の開き位置において、戸当たり具によってこの扉１０４の開き角度を規制させることができると共に、この開き位置における扉１０４の開いた状態を、前記キャッチャー体２５の当接部２４への吸着により維持させることができる。
【０１４３】
（バリエーション３）
第一アーム２２の当接部２４が、この第一アーム２２に回転可能に備え付けられた当接体２４’によって構成してあると共に、
第二アーム２３の当接部２４が、この第二アーム２３に回転可能に備え付けられた当接体２４’によって構成してあり、
前記第一アーム２２の当接体２４’における少なくとも扉１０４への当接部２４分が扉１０４に備えられる磁石２６製のキャッチャー体２５に吸着される磁石２６又は磁石２６を備えて構成されていると共に、
前記第二アーム２３の当接体２４’における少なくとも壁１０５への当接部２４分が壁１０５に備えられる磁石２６製のキャッチャー体２５に吸着される磁石２６又は磁石２６を備えて構成されており、
これらの当接体２４’を回転させることにより、これらキャッチャー体２５にこれら当接体２４’が反発するようにしておくこともできる。
【０１４４】
例えば、図２７に示すように、第一アーム２２と当接体２４’および第二アーム２３と当接体２４’とを、この当接体２４’に球状頭部２４ｃを埋め込ませた軸体を中心に回転可能なように組み付け合わさせる。
【０１４５】
それと共に、当接部２４の一面に、この当接部２４の回転中心を挟んだ一方側の磁極と他方側の磁極とが互いに異極となるように、二つの磁極面２９、２９を区分して備えたプレート状をなす磁石２６を備え付けさせ、この磁石２６によって当接面を構成させる。
【０１４６】
そしてさらに、磁石２６からなるプレート状をなすキャッチャー体２５を扉１０４および壁１０５における所望の扉１０４に開き位置において当接部２４が突き当たる扉１０４および壁１０５の部位に取り付けるようにする。そして、このキャッチャー体２５における当接部２４に備え付けられた磁石２６の一方磁極面２９が接する部位の磁極と、当接部２４に備え付けられた磁石２６の他方磁極面２９が接する部位の磁極とが異極となるように、このキャッチャー体２５にも二つの磁極面２９、２９を備えさせる。
【０１４７】
このようにしておけば、所望の扉１０４の開き位置において、戸当たり具によってこの扉１０４の開き角度を規制させることができると共に、この開き位置において前記キャッチャー体２５と当接部２４とを反発させてこの扉１０４の開き方向への運動エネルギーを減衰させて勢い良く戸当たり具に扉１０４および壁１０５が突き当たらないようにすることができる。
【０１４８】
具体的には、当接部２４の磁石２６の一方磁極面２９とキャッチャー体２５の一方磁極面２９とを同極にしておけば、かかる減衰効果を生じさせることができる。（図２８）
【０１４９】
これに対して、当接部２４の磁石２６の一方磁極面２９とキャッチャー体２５の一方磁極面２９とを異極にしておけば、当接部２４とキャッチャー体２５とを吸着させ合わせて、所望の開き位置での扉１０４の開き状態を維持させることができる。（図２７）
【０１５０】
（その他）
以上に説明した磁石２６をゴム磁石としておけば、磁石２６自体によっても扉１０４の開き方向への運動エネルギーを減衰させることができると共に、この扉１０４の開き方向への反復運動によって早期に磁石２６が痛んだり、割れたりしないようにすることができる。
【０１５１】
【発明の効果】
この発明にかかる戸当たり具によれば、既設の蝶番を利用して、この蝶番の上方に備え付けさせることができることから、歩行や掃除などの邪魔にならず、かつ、外観上目立たない状態で、扉の開き角度の規制をなすことができる。
【図面の簡単な説明】
【図１】第一実施例にかかる戸当たり具の分離斜視図
【図２】同備え付け状態を示す斜視図
【図３】同備え付け状態を示す平面図
【図４】同備え付け状態を示す平面図
【図５】図６におけるＡ−Ａ線断面図
【図６】第一アーム１１の底面図
【図７】図６におけるＢ−Ｂ線断面図
【図８】図９におけるＣ−Ｃ線断面図
【図９】第二アーム１２の平面図
【図１０】図９におけるＤ−Ｄ線断面図
【図１１】当接部１３とキャッチャー体１４とを示す斜視構成図
【図１２】当接部１３とキャッチャー体１４とを示す斜視構成図
【図１３】当接部１３とキャッチャー体１４とを示す斜視構成図
【図１４】当接部１３とキャッチャー体１４とを示す斜視構成図
【図１５】第二実施例にかかる戸当たり具の分離斜視図
【図１６】同備え付け状態を示す斜視図
【図１７】同備え付け状態を示す平面図
【図１８】同備え付け状態を示す平面図
【図１９】第一アーム２２の側面図
【図２０】第一アーム２２の底面図
【図２１】図２０におけるＥ−Ｅ線断面図
【図２２】第二アーム２３の平面図
【図２３】第二アーム２３の側面図
【図２４】図２２におけるＦ−Ｆ線断面図
【図２５】当接部２４とキャッチャー体２５とを示す斜視構成図
【図２６】当接部２４とキャッチャー体２５とを示す斜視構成図
【図２７】当接部２４とキャッチャー体２５とを示す斜視構成図
【図２８】当接部２４とキャッチャー体２５とを示す斜視構成図
【符号の説明】
１００　蝶番
１０１　軸穴部
１０４　扉
１０５　壁
１０　軸棒
１０ａ　軸上部
１１　第一アーム
１２　第二アーム
１１ａ、１２ａ　貫通穴
１３　当接部
【図１】
2004019383.tif 000003
【図２】
2004019383.tif 000004
【図３】
2004019383.tif 000005
【図４】
2004019383.tif 000006
【図５】
2004019383.tif 000007
【図６】
2004019383.tif 000008
【図７】
2004019383.tif 000009
【図８】
2004019383.tif 000010
【図９】
2004019383.tif 000011
【図１０】
2004019383.tif 000012
【図１１】
2004019383.tif 000013
【図１２】
2004019383.tif 000014
【図１３】
2004019383.tif 000015
【図１４】
2004019383.tif 000016
【図１５】
2004019383.tif 000017
【図１６】
2004019383.tif 000018
【図１７】
2004019383.tif 000019
【図１８】
2004019383.tif 000020
【図１９】
2004019383.tif 000021
【図２０】
2004019383.tif 000022
【図２１】
2004019383.tif 000023
【図２２】
2004019383.tif 000024
【図２３】
2004019383.tif 000025
【図２４】
2004019383.tif 000026
【図２５】
2004019383.tif 000027
【図２６】
2004019383.tif 000028
【図２７】
2004019383.tif 000029
【図２８】
2004019383.tif 000030